(57)【要約】【課題】巻き取り収納が可能であり、スクリーンに筋状の跡等の巻き段が付かず、使用時に平面性を保つことができる巻き取り型スクリーン装置を提供する。【解決手段】巻き芯１２０の長手方向の両端付近であって、スクリーン１１０の先端部１１０ａ近傍のスクリーン１１０上の第１の取り付け面１１０ｂに第１の巻き段防止部材１４１を取り付け、先端部１１０ａ近傍の巻き芯１２０の外周面上の第２の取り付け面１２０ａに第２の巻き段防止部材１４２を取り付けた。第１の巻き段防止部材１４１及び第２の巻き段防止部材１４２は、共に、弾性体を用いて形成されている。【選択図】図２
2007328154.tif 000002
【特許請求の範囲】
【請求項１】
映像源から投影された映像光を観察可能に表示する巻き取り型スクリーン装置であって、
収納時に巻き取られるスクリーンと、
前記スクリーンを巻き取り可能であり、前記スクリーンの一方の先端部付近が接合された巻き芯と、
を備え、
前記巻き芯の長手方向の両端付近には、
前記先端部近傍の前記スクリーン上であり、前記スクリーンが巻き取られるときに前記巻き芯とは反対側となる第１の取り付け面に配置された第１の巻き段防止部材と、
前記巻き芯の外周面上であり、前記先端部近傍である第２の取り付け面に配置された第２の巻き段防止部材と、
が取り付けられていること、
を特徴とする巻き取り型スクリーン装置。
【請求項２】
請求項１に記載の巻き取り型スクリーン装置において、
前記第１の巻き段防止部材と前記第２の巻き段防止部材とは、前記巻き芯の周方向に距離を離して設けられ、
前記先端部は、前記巻き芯の周方向において、前記第１の巻き段防止部材と前記第２の巻き段防止部材との間に位置すること、
を特徴とする巻き取り型スクリーン装置。
【請求項３】
請求項１又は請求項２に記載の巻き取り型スクリーン装置において、
前記第１の巻き段防止部材及び前記第２の巻き段防止部材は、弾性体によって形成されていること、
を特徴とする巻き取り型スクリーン装置。
【請求項４】
請求項３に記載の巻き取り型スクリーン装置において、
前記第１の巻き段防止部材及び前記第２の巻き段防止部材は、ポリエチレン、変性ポリエチレン、ウレタン、アクリルの少なくとも１つを用いて形成されていること、
を特徴とする巻き取り型スクリーン装置。
【請求項５】
請求項１から請求項４までのいずれか１項に記載の巻き取り型スクリーン装置において、
前記第１の巻き段防止部材の厚みを圧縮前の４０％となるように圧縮したときの前記第１の取り付け面からの高さ、及び、前記第２の巻き段防止部材の厚みを圧縮前の４０％となるように圧縮したときの前記第２の取り付け面からの高さは、いずれも、前記第１の取り付け面と前記第２の取り付け面との前記巻き芯の径方向の高さの差の１０〜３００％であること、
を特徴とする巻き取り型スクリーン装置。
【請求項６】
請求項１から請求項５までのいずれか１項に記載の巻き取り型スクリーン装置において、
前記第１の巻き段防止部材及び前記第２の巻き段防止部材は、その厚みが０．１〜５ｍｍであること、
を特徴とする巻き取り型スクリーン装置。
【請求項７】
請求項１から請求項６までのいずれか１項に記載の巻き取り型スクリーン装置において、
前記巻き芯は、径方向の高低差が形成された段差部を有し、
前記先端部は、前記段差部の径方向の高さが低い部分に接合され
前記第２の巻き段防止部材は、前記段差部の径方向の高さが高い部分の前記段差部の近傍に取り付けられていること、
を特徴とする巻き取り型スクリーン装置。
【請求項８】
請求項１から請求項７までのいずれか１項に記載の巻き取り型スクリーン装置において、
前記巻き芯と前記スクリーンとを接合する接合層を有し、
前記先端部は、前記接合層によって接合されていないこと、
を特徴とする巻き取り型スクリーン装置。
【請求項９】
請求項１から請求項８までのいずれか１項に記載の巻き取り型スクリーン装置において、
前記巻き芯の外周面及び前記先端部を覆うように設けられた保護部材を有すること、
を特徴とする巻き取り型スクリーン装置。
【発明の詳細な説明】
【技術分野】
【０００１】
本発明は、巻き取り可能であり、映像源から投影された映像光を観察可能に表示する巻き取り型スクリーン装置に関するものである。
【背景技術】
【０００２】
近年、プロジェクターにより映像光を投射し、大画面のスクリーンで映像を楽しめるホームシアター等の低価格化が進み、一般家庭等にも普及し始めている。このようなスクリーン装置の中でも、反射スクリーン装置は、不使用時には巻き取って収納できるタイプのものが広く普及している。
そのような巻き取り可能な反射スクリーン装置では、スクリーンを巻き芯に巻き取って収納するために、スクリーンの一方の端部は、巻き芯の周面に軸方向（長手方向）に沿って接着材を用いて貼り付ける等して、取り付けられている。
そのため、巻き芯の周面と、巻き芯に取り付けられたスクリーンの厚みとによる段差が生じる。巻き芯に巻き取った収納状態で長期間放置すると、巻き取られたスクリーンの段差と重なる位置に、筋状の曲げグセが跡となって残る（以下、これを巻き段とする）。この巻き段が生じると、使用時に、スクリーンの平面性が不十分になり、映像が歪んで観察されてしまうという問題があった。
【０００３】
この問題を解決するために、特許文献１では、スクリーンの巻き取り軸（巻き芯）に対して直交する方向のスクリーン両端部に、巻上方向に沿って肉厚部を設ける手法が開示されている。また、特許文献２では、スクリーンの巻き取り軸の両端部の周面に、突出部を設ける手法が開示されている。
しかし、特許文献１に開示された手法では、巻き取ったスクリーンの径が大きくなり、収納時にかさ張るという問題があった。また、スクリーン両端部に、映像を映す領域とは別に肉厚部を設けるための領域を余分に設けなくてはならないという問題があった。さらに、肉厚部に巻き段がついてしまう形態であるため、この肉厚部についた巻き段によって、スクリーン中央の映像領域が歪むという問題があった。
【０００４】
特許文献２に開示された手法では、巻き芯の両端部に突出部を設けるための領域を余分に設けなくてはならないという問題があった。また、スクリーンは、突出部の切溝に通されて巻き取り軸に取り付けられる形態であるため、スクリーンの両端部には巻き段が生じてしまい、スクリーン中央の映像領域に歪みが生じるという問題があった。
また、特許文献１及び特許文献２に開示された手法は、ともに、スクリーンの両端を支持する形状であるので、長期の保管等によって、スクリーン中央部がたるむという問題があった。
【０００５】
一方、特許文献３、特許文献４の第４図及び第５図では、予め、巻き芯の外周の一部にその長手方向の全長にわたって、スクリーンの厚みと略同等となる段を形成し、段の谷部にスクリーンの先端部を当てて接着する手法が開示されている。しかし、この手法では、取り付けられるスクリーンの先端部の表面が、巻き芯の周面よりも僅かに高さがずれていたり、又は、スクリーンの厚みの経時変化によって同一面を確保することが難しく、巻き段が発生するという問題があった。
【特許文献１】特許第２９８５６３４号公報
【特許文献２】特許第２９４７０４５号公報
【特許文献３】実開昭５１−１２０１３４号公報
【特許文献４】特許第３３０３５１１号公報（第５頁、図４及び図５）
【発明の開示】
【発明が解決しようとする課題】
【０００６】
本発明の課題は、巻き取り収納が可能であり、スクリーンに筋状の跡等の巻き段が付かず、使用時に平面性を保つことができる巻き取り型スクリーン装置を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、映像源から投影された映像光を観察可能に表示する巻き取り型スクリーン装置であって、収納時に巻き取られるスクリーン（１１０）と、前記スクリーンを巻き取り可能であり、前記スクリーンの一方の先端部（１１０ａ）付近が接合された巻き芯（１２０，２２０）と、を備え、前記巻き芯の長手方向の両端付近には、前記先端部近傍の前記スクリーン上であり、前記スクリーンが巻き取られるときに前記巻き芯とは反対側となる第１の取り付け面（１１０ｂ）に配置された第１の巻き段防止部材（１４１，２４１）と、前記巻き芯の外周面上であり、前記先端部近傍である第２の取り付け面（１２０ａ，２２０ａ）に配置された第２の巻き段防止部材（１４２，２４２）と、が取り付けられていること、を特徴とする巻き取り型スクリーン装置（１０，２０）である。
請求項２の発明は、請求項１に記載の巻き取り型スクリーン装置において、前記第１の巻き段防止部材（１４１，２４１）と前記第２の巻き段防止部材（１４２，２４２）とは、前記巻き芯（１２０，２２０）の周方向に距離を離して設けられ、前記先端部（１１０ａ）は、前記巻き芯の周方向において、前記第１の巻き段防止部材と前記第２の巻き段防止部材との間に位置すること、を特徴とする巻き取り型スクリーン装置（１０，２０）である。
請求項３の発明は、請求項１又は請求項２に記載の巻き取り型スクリーン装置において、前記第１の巻き段防止部材（１４１，２４１）及び前記第２の巻き段防止部材（１４２，２４２）は、弾性体によって形成されていること、を特徴とする巻き取り型スクリーン装置（１０，２０）である。
請求項４の発明は、請求項３に記載の巻き取り型スクリーン装置において、前記第１の巻き段防止部材（１４１，２４１）及び前記第２の巻き段防止部材（１４２，２４２）は、ポリエチレン、変性ポリエチレン、ウレタン、アクリルの少なくとも１つを用いて形成されていること、を特徴とする巻き取り型スクリーン装置（１０，２０）である。
請求項５の発明は、請求項１から請求項４までのいずれか１項に記載の巻き取り型スクリーン装置において、前記第１の巻き段防止部材（１４１，２４１）の厚みを圧縮前の４０％となるように圧縮したときの前記第１の取り付け面（１１０ｂ）からの高さ、及び、前記第２の巻き段防止部材（１４２，２４２）の厚みを圧縮前の４０％となるように圧縮したときの前記第２の取り付け面（１２０ａ，２２０ａ）からの高さは、いずれも、前記第１の取り付け面と前記第２の取り付け面との前記巻き芯（１２０，２２０）の径方向の高さの差（ｔ１，ｔ２）の１０〜３００％であること、を特徴とする巻き取り型スクリーン装置（１０，２０）である。
請求項６の発明は、請求項１から請求項５までのいずれか１項に記載の巻き取り型スクリーン装置において、前記第１の巻き段防止部材（１４１，２４１）及び前記第２の巻き段防止部材（１４２，２４２）は、その厚みが０．１〜５ｍｍであること、を特徴とする巻き取り型スクリーン装置（１０，２０）である。
請求項７の発明は、請求項１から請求項６までのいずれか１項に記載の巻き取り型スクリーン装置において、前記巻き芯（１２０）は、径方向の高低差が形成された段差部（１２１）を有し、前記先端部（１１０ａ）は、前記段差部の径方向の高さが低い部分に接合され、前記第２の巻き段防止部材（１４２）は、前記段差部の径方向の高さが高い部分の前記段差部の近傍に取り付けられていること、を特徴とする巻き取り型スクリーン装置（１０）である。
請求項８の発明は、請求項１から請求項７までのいずれか１項に記載の巻き取り型スクリーン装置において、前記巻き芯（１２０，２２０）と前記スクリーン（１１０）とを接合する接合層（１３０）を有し、前記先端部（１１０ａ）は、前記接合層によって接合されていないこと、を特徴とする巻き取り型スクリーン装置（１０，２０）である。
請求項９の発明は、請求項１から請求項８までのいずれか１項に記載の巻き取り型スクリーン装置において、前記巻き芯（１２０）の表面及び前記先端部（１１０ａ）を覆うように設けられた保護部材（１５０）を有すること、を特徴とする巻き取り型スクリーン装置（１０）である。
【発明の効果】
【０００８】
本発明によれば、以下の効果を奏することができる。
（１）巻き取り型スクリーン装置は、巻き芯の長手方向の両端付近のスクリーンの先端部近傍のスクリーン上であり、スクリーンが巻き取られるときに巻き芯とは反対側となる第１の取り付け面に配置された第１の巻き段防止部材と、巻き芯の長手方向の両端付近の巻き芯の外周面上であり、先端部近傍である第２の取り付け面に配置された第２の巻き段防止部材とが取り付けられているので、巻き取られて巻き芯を周回してきたスクリーンが、第１の巻き段防止部材及び第２の巻き段防止部材によって、スクリーンの厚みに起因する段差等に接触しない形態で巻き取ることができる。従って、スクリーンの厚みによる段差に起因して生じる巻き段を防止でき、巻き取ったまま長期間保管した場合等にも、使用時には良好な平面性を保つことができる。
【０００９】
（２）第１の巻き段防止部材と第２の巻き段防止部材とは、巻き芯の周方向に距離を離して設けられ、先端部は、巻き芯の周方向において、第１の巻き段防止部材と第２の巻き段防止部材との間に位置するので、巻き取られて巻き芯を周回してきたスクリーンが、スクリーンの先端部の角に接触することなく、スクリーンを巻き取ることができる。従って、スクリーンの厚みによる段差に起因して生じる巻き段を防止できる。
【００１０】
（３）第１の巻き段防止部材及び第２の巻き段防止部材は、弾性体によって形成されているので、適度に変形可能であり、第１の巻き段防止部材及び第２の巻き段防止部材自身の厚みによる新たな巻き段が発生することなく、スクリーンと巻き芯との接合部分の段差を緩やかにして、段差に起因する巻き段を防止できる。
【００１１】
（４）第１の巻き段防止部材及び第２の巻き段防止部材は、ポリエチレン、変性ポリエチレン、ウレタン、アクリルの少なくとも１つを用いて形成されているので、軟質であり、かつ、適度に変形可能であり、また、入手が容易である。さらに、これらの材料は、発泡形成させることができ、その場合さらに柔軟性を高めることができる。
【００１２】
（５）第１の巻き段防止部材の厚みを圧縮前の４０％となるように圧縮したときの第１の巻き段防止部材取り付け面からの高さ、及び、第２の巻き段防止部材の厚みを圧縮前の４０％となるように圧縮したときの第２の巻き段防止部材取り付け面からの高さは、いずれも、第１の取り付け面と前記第２の取り付け面との高さの差の１０〜３００％の範囲内である。
ここで、第１の巻き段防止部材の厚みを圧縮前の４０％となるように圧縮したときの第１の巻き段防止部材の第１の取り付け面からの高さ、及び、第２の巻き段防止部材の厚みを圧縮前の４０％となるように圧縮したときの第２の巻き段防止部材の第２の取り付け面からの高さが、第１の取り付け面と前記第２の取り付け面との高さの差の１０〜３００％の範囲内より小さい場合には、周回してきたスクリーンが巻き芯とスクリーンとの接合部分の段差に接触して巻き段が発生する。また、第１の巻き段防止部材の厚みを圧縮前の４０％となるように圧縮したときの第１の巻き段防止部材の第１の取り付け面からの高さ、及び、第２の巻き段防止部材の厚みを圧縮前の４０％となるように圧縮したときの第２の巻き段防止部材の第２の取り付け面からの高さが、第１の取り付け面と前記第２の取り付け面との高さの差の１０〜３００％の範囲内より大きい場合には、第１の巻き段防止部材及び第２の巻き段防止部材の厚みによって、スクリーンを巻き取る際にカール（スクリーンに生じる巻き段よりも緩やかな巻きグセ）が発生する。
しかし、本発明では、第１の巻き段防止部材の厚みを圧縮前の４０％となるように圧縮したときの第１の巻き段防止部材の第１の取り付け面からの高さ、及び、第２の巻き段防止部材の厚みを圧縮前の４０％となるように圧縮したときの第２の巻き段防止部材の第２の取り付け面からの高さが、第１の取り付け面と前記第２の取り付け面との高さの差の１０〜３００％の範囲内にあるので、巻き段やカールの発生を防止できる。
【００１３】
（６）第１の巻き段防止部材及び第２の巻き段防止部材は、その厚みが０．１〜５ｍｍであるので、巻き芯にスクリーンを巻き取った収納時の径が大きくならず、収納時にかさ張ることなく巻き段の発生を防止できる。
【００１４】
（７）巻き芯は、径方向の高低差が形成された段差部を有し、先端部は、段差部の径方向の高さが低い部分に接合されているので、段差部によって、スクリーンの厚みによる段差を緩やかにすることができる。また、第２の巻き段防止部材は、段差部の径方向の高さが高い部分の段差部の近傍に取り付けられているので、周回してきたスクリーンを段差部の高低差の高い部分の角に接触させずに巻き取ることができ、段差部の角によってスクリーンに傷が付いたり、巻き段が生じたりすることを防止できる。
【００１５】
（８）巻き芯とスクリーンとを接合する接合層を有し、先端部は、接合層によって接合されていないので、スクリーンが巻き芯に巻き取られた際に、先端部は、巻き芯の径方向の内側に落ち込むことが可能な形態である。従って、スクリーンの厚みによる段差に起因する巻き段を防止する効果を高めることができる。
【００１６】
（９）巻き芯の外周面及び先端部を覆うように設けられた保護部材を有するので、スクリーンの厚みによる段差を緩やかにし、巻き段を防止する効果を高めることができる。また、保護部材を設けることにより、スクリーンと巻き芯との接合強度をさらに高めることができる。
【発明を実施するための最良の形態】
【００１７】
本発明は、巻き取り収納が可能であり、スクリーンに筋状の跡等の巻き段が付かず、使用時に平面性を保つことができる巻き取り型スクリーン装置を提供するという目的を、巻き芯の長手方向の両端付近に、スクリーンの先端部近傍のスクリーン上に設けられた第１の取り付け面に第１の巻き段防止部材を取り付け、先端部近傍の巻き芯の外周面上に設けられた第２の取り付け面に第２の巻き段防止部材を取り付けることにより実現した。
【実施例１】
【００１８】
図１は、本発明による実施例１の巻き取り型スクリーン装置１０を示す図である。
なお、図１を含め、以下に示す各図は、説明のため各部寸法，形状等を適宜誇張して示している。また、各図中における垂直方向、水平方向とは、スクリーンの使用状態における垂直方向、水平方向である。
巻き取り型スクリーン装置１０は、スクリーン１１０，収納部１２，錘部１３等を備えている。この巻き取り型スクリーン装置１０は、天井等に取り付けられ、スクリーン使用時には、後述の収納部１２からスクリーン１１０を引き出し、映像光を投影して映像を表示し、不使用時には、スクリーン１１０を収納部１２内に巻き取ることが可能である。
【００１９】
実施例１のスクリーン１１０は、収納時等に巻き取り可能であり、プロジェクター光学エンジン部（映像源）Ｌから投影された映像光を観察者Ｏ側へ反射させて観察可能とする巻き取り型反射スクリーンである。
スクリーン１１０は、シート状又はフィルム状の部材であり、本実施例では、スクリーン１１０は、ガラスファイバーが混練された塩化ビニル（ＰＶＣ）によって形成された厚さ０．４ｍｍの白色のシート状の部材が用いられている。
なお、スクリーン１１０の厚みは、０．０５〜１ｍｍであることが、巻き取り易さ等の点から好ましい。また、本実施例のスクリーン１１０では、映像光を反射して観察可能とする画面サイズ（映像表示領域）は、８０インチである。
【００２０】
収納部１２は、不使用時に巻き取ったスクリーン１１０をその内部に収納する部分である。収納部１２は、金属又はプラスチック製等の中空の部材であり、スクリーン１１０を引き出し可能なスリット等がその軸方向に形成されている。収納部１２の内部には、スクリーン１１０を巻き取る後述の巻き芯１２０が備えられており、本実施例では、スクリーン１１０の一方の先端部１１０ａ（図２参照）付近が、この巻き芯１２０に接合されている。また、本実施例では、収納時には、スクリーン１１０は、観察面側が巻き芯１２０側（内側）となるように巻き取られる形態となっている。
錘部１３は、スクリーン１１０の先端部１１０ａとは反対側の端部に設けられた部分である。この錘部１３は、その錘部１３によってスクリーン１１０に加わる荷重により、スクリーン１１０の使用状態での平面性を高めるために十分な重さを有している。本実施例では、錘部１３は、金属製の丸棒状の部材であり、スクリーン１１０の先端部１１０ａとは反対側の一端が巻き付けられ、接着されている。
【００２１】
本実施例に示す巻き取り型スクリーン装置１０は、スクリーン１１０の巻き取りを、スプリングの付勢力によって行うスプリング巻き上げ方式の反射スクリーンである。しかし、これに限らず、例えば、スクリーンの巻き取りを電動で行う電動式の巻き取り方式や、パンタグラフを複数組み合わせた伸縮機構による下からの持ち上げによってスクリーンを使用状態となるように引き出し、これと逆の動作によってスクリーンを巻き取る方式のものでもよい。
【００２２】
図２は、実施例１の巻き取り型スクリーン装置１０の収納部１２内の巻き芯１２０とスクリーン１１０との関係を説明する斜視図である。
図３は、実施例１の巻き取り型スクリーン装置１０において、巻き芯１２０にスクリーン１１０が巻き取られた状態を示す断面図である。
図４は、実施例１の巻き取り型スクリーン装置１０において、巻き芯１２０とスクリーン１１０とが接合された部分の拡大図である。
収納部１２内には、巻き芯１２０が回転可能に備えられ、スクリーン本体１１０の先端部１１０ａ付近が巻き芯１２０に接合されている。また、収納部１２，巻き芯１２０の両端部には、不図示のスプリング等が設けられており、巻き芯１２０は、巻き取り方向に付勢されている。
【００２３】
巻き芯１２０は、段差部１２１を有し、スクリーン本体１１０を巻き取り可能な金属又はプラスチック製等の略円筒形状の部材である。段差部１２１は、巻き芯１２０の外周部に設けられ、径方向の高低差が形成された部分である。本実施例では、巻き芯１２０は、アルミニウム製であり、段差部１２１の高さが低い方の外周部での外径が５０ｍｍであり、中空に形成されている。また、段差部１２１は、巻き芯１２０の長手方向に延在し、その高低差は、０．７ｍｍである。
なお、本実施例では、段差部１２１の高低差を０．７ｍｍとしたが、これに限らず、スクリーン１１０の厚み等によって、好ましいものを適宜選択して用いてよい。
【００２４】
接合層１３０は、スクリーン１１０と巻き芯１２０とを接合する層であり、巻き芯１２０の長手方向全体に形成されている。本実施例では、接合層１３０は、厚さ０．１ｍｍであり、巻き芯１２０の周方向での幅が２５ｍｍである両面テープを用いている。
接合層１３０は、段差部１２１の径方向の高さの低い部分に段差部１２１と距離を離して設けられている。スクリーン１１０の先端部１１０ａは、接合層１３０によって接合されておらず、巻き芯１２０ａの径方向の内側に落ち込むことが可能な形態となっている。従って、スクリーン１１０が巻き芯１２０に巻き取られたとき、先端部１１０ａは、段差部１２１と接合層１３０との間に形成された溝形状の空間に落ち込む形態となり、スクリーン１１０の厚みによる段差を緩やかにし、巻き段を防止する効果を有する。
【００２５】
巻き芯１２０の長手方向の両端付近には、第１の巻き段防止部材１４１，第２の巻き段防止部材１４２が、それぞれ２つずつ取り付けられている。
第１の巻き段防止部材１４１は、先端部１１０ａ近傍のスクリーン１１０上であり、スクリーン１１０が巻き取られるときに巻き芯１２０とは反対側（本実施例では、スクリーン１１０の裏面側）となる第１の取り付け面１１０ｂに、第１の巻き段防止部材接合層１６１を介して取り付けられた略直方体形状の部材である。
第２の巻き段防止部材１４２は、巻き芯１２０の段差部１２１の径方向の高さが高い部分であって、段差部１２１の近傍である第２の取り付け面１２０ａに、第２の巻き段防止部材接合層１６２を介して取り付けられた略直方体形状の部材である。
【００２６】
この第１の巻き段防止部材１４１，第２の巻き段防止部材１４２は、巻き芯１２０の長手方向の両端付近であり、スクリーン１１０が映像を表示する領域の外側である位置に取り付けられている。従って、巻き取られて巻き芯１２０を周回してきたスクリーン１１０が第１の巻き段防止部材１４１，第２の巻き段防止部材１４２に接触するスクリーン１１０の領域は、スクリーン１１０の使用状態での水平方向の両端付近であり、映像を表示する領域の外側である。
また、第１の巻き段防止部材１４１，第２の巻き段防止部材１４２は、スクリーン１１０の先端部１１０ａが、巻き芯１２０の周方向において、この第１の巻き段防止部材１４１と第２の巻き段防止部材１４２との間に位置するように配置されている。
【００２７】
第１の巻き段防止部材接合層１６１，第２の巻き段防止部材接合層１６２は、それぞれ、厚さ１２５μｍの両面テープを用いて形成されている。第１の巻き段防止部材接合層１６１は、第１の巻き段防止部材１４１が第１の取り付け面１１０ｂと接する面の全面に設けられている。第２の巻き段防止部材接合層１６２は、第２の巻き段防止部材１４２が第２の取り付け面１２０ａと接する面の全面に設けれられている。
なお、本実施例では、第１の巻き段防止部材接合層１６１及び第２の巻き段防止部材接合層１６２は、共に両面テープである例を示したが、これに限らず、例えば、どちらか一方又は双方を接着材又は粘着材によって形成してもよい。
【００２８】
本実施例では、第１の巻き段防止部材１４１及び第２の巻き段防止部材１４２は、共に、弾性体として潰れやすく、かつ、復元力のある発泡体であるポリエチレン系の材料（以下、発泡ポリエチレン系の材料とする）を用いて形成されており、圧縮されない状態での厚みは、ともに１ｍｍである。なお、第１の巻き段防止部材１４１及び第２の巻き段防止部材１４２は、これに限らず、変性ポリエチレン、アクリル、ウレタン等の少なくとも１つを用いた樹脂を用いることが、柔軟であり低コストであるという理由から好ましい。また、これに限らず、ゴム等を用いてもよい。さらに、第１の巻き段防止部材１４１及び第２の巻き段防止部材１４２は、これらの材料を用いて発泡体に形成した部材を用いることにより、より柔軟性を向上させることができ、巻き段の防止に効果的である。
【００２９】
また、第１の巻き段防止部材１４１及び第２の巻き段防止部材１４２は、その厚みを圧縮前の４０％となるように圧縮したとき、第１の巻き段防止部材１４１の第１の取り付け面１１０ｂからの高さ（５２５μｍ）、及び、第２の巻き段防止部材１４２の第２の取り付け面１２０ａからの高さ（５２５μｍ）は、いずれも、第１の取り付け面１１０ｂと第２の取り付け面１２０ａとの径方向の高さの差ｔ１（３００μｍ）の約１７５％である。
【００３０】
ここで、本実施例では、第１の巻き段防止部材１４１の厚みを圧縮前の４０％となるように圧縮したときの第１の取り付け面１１０ｂからの高さ、及び、第２の巻き段防止部材１４２の厚みを圧縮前の４０％となるように圧縮したときの第２の取り付け面１２０ａからの高さは、いずれも、第１の取り付け面１１０ｂと第２の取り付け面１２０ａとの径方向の高さの差ｔ１の１０〜３００％であることが好ましい。これは、上記範囲の下限値よりも小さい場合には、周回してきたスクリーン１１０が巻き芯１２０の段差部１２１の角（高低差の高い部分の角）や、スクリーン１１０の厚みによる段差等に接触して巻き段が発生するからである。また、上記範囲の上限値よりも大きい場合には、第１の巻き段防止部材１４１及び第２の巻き段防止部材１４２の厚みによって、スクリーン１１０を巻き取る際に、スクリーン１１０にカール（スクリーンに生じる巻き段よりも緩やかな巻きグセ）が生じるからである。
【００３１】
保護部材１５０は、巻き芯１２０の外周面（第２の取り付け面１２０ａ）とスクリーン１１０の先端部１１０ａとを覆うように設けられたシート状又はフィルム状の部材である。本実施例では、巻き芯１２０の周方向の幅が２０ｍｍ、厚さが５０μｍのＰＥＴ製の粘着テープを用いている。
なお、保護部材１５０としては、その厚みが１００μｍ（０．１ｍｍ）以下であることが、巻き段の発生を防止する上で望ましい。
【００３２】
（比較例との対比）
ここで、本実施例の巻き取り型スクリーン装置１０の効果を検証するために、以下に示す比較例１の巻き取り型スクリーン装置３０，比較例２の巻き取り型スクリーン装置４０を作製して巻き段の発生を調べた。
比較例１の巻き取り型スクリーン装置３０，比較例２の巻き取り型スクリーン装置４０は、実施例１の巻き取り型スクリーン装置１０と略同様の形態であるが、巻き段防止部材の取り付けられている位置が異なる。従って、以下の説明では、前述した実施例１と同様の機能を果たす部分には、同一の符号を付して、重複する説明を適宜省略する。
【００３３】
図５は、比較例１の巻き取り型スクリーン装置３０の収納部１２内の巻き芯１２０とスクリーン１１０との関係を示す斜視図である。
比較例１の巻き取り型スクリーン装置３０に取り付けられた巻き段防止部材３４１，３４２は、実施例１と同様に、巻き芯１２０の長手方向の両端付近に設けられているが、図５に示すように、スクリーン１１０上の先端部１１０ａ近傍（実施例１において、第１の取り付け面１１０ａに相当する位置）から、巻き芯１２０の段差部１２１近傍であり、径方向の高い部分（実施例１において、第２の取り付け面１２０ａに相当する位置）までを覆うように、巻き芯１２０の周方向に連続して設けられている。
【００３４】
図６は、比較例２の巻き取り型スクリーン装置４０の収納部１２内の巻き芯１２０とスクリーン１１０との関係を説明する斜視図である。
比較例２の巻き取り型スクリーン装置４０は、実施例１と同様に、先端部１１０ａの近傍であるスクリーン１１０の上と、巻き芯１２０の段差部の１２１の近傍であり、径方向の高さの高い部分とに、それぞれ、巻き段防止部材４４１，４４２設けられている。しかし、図６に示すように、巻き段防止部材４４１，４４２は、巻き芯１２０の長手方向全体にわたって連続して設けられている。
【００３５】
実施例１の巻き取り型スクリーン装置１０、比較例１，比較例２の巻き取り型スクリーン装置３０，４０の巻き段の発生状況を調べたところ、実施例１の巻き取り型スクリーンでは巻き段が発生せず、スクリーン１１０は、良好な平面性を保つことができた。しかし、比較例１，比較例２の巻き取り型スクリーン装置３０，４０では巻き段が発生した。この理由を以下に説明する。
【００３６】
図７は、比較例１の巻き取り型スクリーン装置３０において、スクリーン１１０を巻き芯１２０に巻き取った状態を示す断面図である。
比較例１の巻き取り型スクリーン装置３０では、図７に示すように、巻き段防止部材３４１，３４２が巻き芯１２０の段差部１２１に沿って変形している。そのため、巻き取られて巻き芯１２０を周回してきたスクリーン１１０が、段差部１２１の形に沿って変形した巻き段防止部材３４１，３４２に沿って巻き取られ、スクリーン１１０に巻き段が生じた。
【００３７】
比較例２の巻き取り型スクリーン装置４０では、巻き取られて巻き芯１２０を周回してきたスクリーン１１０は、巻き段防止部材４４１，４４２によって、段差部１２１の角に接触しない形態で巻き取られることが可能である。しかし、スクリーン１１０中央の映像を表示する領域に相当する部分に、巻き段防止部材４４１，４４２が接触するため、巻き段防止部材４４１，４４２の厚みに起因して、スクリーン１１０に巻き段が生じた。
【００３８】
しかし、本実施例によれば、図３に示すように、第１の巻き段防止部材１４１，第２の巻き段防止部材１４２によって、巻き取られて巻き芯１２０を周回してきたスクリーン１１０が、スクリーン１１０の厚みによる段差や、巻き芯１２０の段差部１２１の角に接触することなく巻き取られる。従って、巻き段を防止し、スクリーン使用時のスクリーン１１０の平面性を良好に保つことができ、巻き芯１２０の段差部１２１の角によってスクリーン１１０に傷が付くこと等も防止できる。
また、第１の巻き段防止部材１４１，第２の巻き段防止部材１４２は、巻き芯１２０の長手方向の両端付近であり、スクリーン１１０が映像を表示する領域の外側に配置されているので、スクリーン１１０の映像表示領域に影響を与えることがない。
さらに、第１の巻き段防止部材１４１，第２の巻き段防止部材１４２をスクリーン１１０の先端部１１０ａ近傍に接合するだけでよいので、容易に、かつ、低コストで実現できる。
【００３９】
さらにまた、スクリーン１１０は、先端部１１０ａが段差部１２１と接合層１３０との間に形成された溝形状の空間に落ち込むことが可能な形態で接合されているので、巻き段防止効果をさらに高めることができる。
その上、保護部材１５０によって、巻き芯１２０の段差部１２１の角とスクリーン１１０の先端部１１０ａとが覆われているので、巻き芯１２０を周回してきたスクリーン１１０が、段差部１２１と接合層１３０との間の空間に落ち込むことを防止し、かつ、段差部１２１の角やスクリーン１１０の厚みに起因する巻き段の防止効果をさらに高めることができる。また、保護部材１５０は、スクリーン１１０と巻き芯１２０との接合強度を高める効果も有する。
【実施例２】
【００４０】
図８は、本発明による実施例２の巻き取り型スクリーン装置２０において、巻き芯２２０にスクリーン１１０を巻き取った状態を示す断面図である。
図９は、実施例２の巻き取り型スクリーン装置２０において、巻き芯２２０とスクリーン１１０とが接合された部分の拡大図である。
実施例２の巻き取り型スクリーン装置２０は、実施例１に示す巻き取り型スクリーン装置１０と略同様であるが、巻き芯２２０が段差部を持たない略円筒形状であり、保護部材が設けられていない点が異なる。よって、前述した実施例１と同様の機能を果たす部分には、同一の符号を付して、重複する説明を適宜省略する。
【００４１】
巻き芯２２０は、スクリーン１１０を巻き取り可能な金属製又はプラスチック製の略円筒形状の部材である。本実施例の巻き芯２２０は、実施例１に示した巻き芯１２０と同様に、その外径が５０ｍｍであるアルミニウム製の中空の部材であるが、実施例１に示した巻き芯１２０とは異なり、その外周は円筒面であり、段差部を有していない。
スクリーン１１０は、実施例１と同様に、先端部１１０ａ付近が、接合層１３０によって巻き芯２２０の外周面に接合されている。
【００４２】
第１の巻き段防止部材２４１，第２の巻き段防止部材２４２は、巻き芯２２０の長手方向の両端付近に、それぞれ２つずつ設けられている。
第１の巻き段防止部材２４１は、実施例１に示した第１の巻き段防止部材１４１と同様の部材である。この第１の巻き段防止部材２４１は、スクリーン１１０上の先端部１１０ａ近傍であり、スクリーン１１０を巻き取る際にスクリーン１１０の巻き芯２２０とは反対側（本実施例では、スクリーン１１０の裏面側）となる第１の取り付け面１１０ｂに、接着材を用いて接合されている。
第２の巻き段防止部材２４２は、実施例１に示した第２の巻き段防止部材１４２と同様の部材である。この第１の巻き段防止部材２４２は、巻き芯２２０の外周面上であり、先端部１１０ａの近傍の第２の取り付け面２２０ａに、接着材を用いて接合されている。
【００４３】
この第１の巻き段防止部材２４１，第２の巻き段防止部材２４２は、共に、スクリーン１１０が映像を表示する領域の外側に取り付けられている。
また、第１の巻き段防止部材２４１，第２の巻き段防止部材２４２は、スクリーン１１０の先端部１１０ａが、巻き芯２２０の周方向において、この第１の巻き段防止部材２４１と第２の巻き段防止部材２４２との間に位置するように配置されている。
なお、本実施例では、第１の巻き段防止部材２４１，第２の巻き段防止部材２４２は、接着材を用いて接合される例を示したが、これに限らず、例えば、粘着材を用いてもよいし、実施例１に示したように両面テープを用いてもよい。
【００４４】
第１の巻き段防止部材２４１及び第２の巻き段防止部材２４２は、その厚みを圧縮前の４０％となるように圧縮したとき、第１の巻き段防止部材２４１の第１の取り付け面１１０ｂからの高さ（４００μｍ）、及び、第２の巻き段防止部材２４２の第２の取り付け面２２０ａからの高さ（４００μｍ）は、いずれも、第１の取り付け面１１０ｂと第２の取り付け面２２０ａとの径方向の高さの差ｔ２（３００μｍ）の約１３３％であり、巻き段の防止に効果的な範囲内である。
本実施例によれば、実施例１に示した形態よりも、より簡単に、かつ、少ない部品点数で、スクリーン１１０に生じる巻き段を防止できる。
【００４５】
（変形例）
以上説明した実施例に限定されることなく、種々の変形や変更が可能であって、それらも本発明の均等の範囲内である。
（１）各実施例において、スクリーン１１０は、観察面側が巻き芯１２０，２２０側（内側）となるように巻き取られる形態である例を示したが、これに限らず、巻き芯１２０，２２０側が裏面側となるように巻き取る形態としてもよい。その際、第１の巻き段防止部材１４１，２４１は、スクリーン１１０の観察面側に配置される形態となるが、スクリーン１１０の映像を表示する領域外であり、かつ、収納部１２内であるため、スクリーン１１０の表示される映像の画質を損なうことはない。
【００４６】
（２）各実施例において、スクリーン１１０は、その全面が映像を表示可能な例を示したが、これに限らず、リード部又はスカートフィルム等と呼ばれる映像を表示しない領域（以下、リード部と呼ぶ）を有するスクリーンを用いてもよい。このリード部は、スクリーンと巻き芯との間、スクリーンと錘部との間の一方又は双方に設けられ、収納部１２から引き出された長さによって、スクリーンの高さを調整する機能を有する領域である。リード部は、黒色等のシート状又はフィルム状の部材をスクリーンの端部に接合して設けてもよいし、スクリーンの裏面側にスクリーンよりも大きなサイズのリード部を貼付する形態で設けてもよい。
【００４７】
（３）各実施例において、接合層１３０は、両面テープを用いる例を示したが、これに限らず、例えば、粘着材又は接着材を用いて形成してもよい。また、接合層１３０は、巻き芯１２０の長手方向の全体にわたって形成せず、所定の距離を離して複数個所に設けてもよい。
【００４８】
（４）各実施例において、スクリーン１１０は、映像光を反射して観察可能に表示する反射スクリーンである例を示したが、これに限らず、例えば、背面投射型の表示装置に使用されるスクリーンでもよい。
【００４９】
（５）実施例１において、保護部材１５０が設けられる例を示したが、これに限らず、保護部材１５０を設けなくともよい。
また、実施例２において、保護部材を設けない例を示したが、これに限らず、巻き芯２２０の外周面とスクリーン１１０の先端部１１０ａとを覆うように、実施例１に示したような保護部材を設けて、巻き芯２２０とスクリーン１１０の接合強度を向上させ、かつ、スクリーン１１０の厚みによる段差を緩やかにしてもよい。
【００５０】
（６）各実施例において、スクリーン１１０の先端部１１０ａは、接合層１３０によって巻き芯１２０，２２０に接合されていない例を示したが、これに限らず、先端部１１０ａを接合層１３０によって接合してもよい。
【図面の簡単な説明】
【００５１】
【図１】本発明による実施例１の巻き取り型スクリーン装置１０を示す図である。
【図２】実施例１の巻き取り型スクリーン装置１０の収納部１２内の巻き芯１２０とスクリーン１１０との関係を説明する斜視図である。
【図３】実施例１の巻き取り型スクリーン装置１０において、巻き芯１２０にスクリーン１１０が巻き取られた状態を示す断面図である。
【図４】実施例１の巻き取り型スクリーン装置１０において、巻き芯１２０とスクリーン１１０とが接合された部分の拡大図である。
【図５】比較例１の巻き取り型スクリーン装置３０の収納部１２内の巻き芯１２０とスクリーン１１０との関係を示す斜視図である。
【図６】比較例２の巻き取り型スクリーン装置４０の収納部１２内の巻き芯１２０とスクリーン１１０との関係を説明する斜視図である。
【図７】比較例１の巻き取り型スクリーン装置３０において、スクリーン１１０を巻き芯１２０に巻き取った状態を示す断面図である。
【図８】本発明による実施例２の巻き取り型スクリーン装置２０において、巻き芯２２０にスクリーン１１０を巻き取った状態を示す断面図である。
【図９】実施例２の巻き取り型スクリーン装置２０において、巻き芯２２０とスクリーン１１０とが接合された部分の拡大図である。
【符号の説明】
【００５２】
１０，２０    巻き取り型スクリーン装置
１１０    スクリーン
１１０ａ    先端部
１２０，２２０    巻き芯
１３０    接合層
１４１，２４１    第１の巻き段防止部材
１４２，２４２    第２の巻き段防止部材
１５０    保護部材
【図１】
2007328154.tif 000003
【図２】
2007328154.tif 000004
【図３】
2007328154.tif 000005
【図４】
2007328154.tif 000006
【図５】
2007328154.tif 000007
【図６】
2007328154.tif 000008
【図７】
2007328154.tif 000009
【図８】
2007328154.tif 000010
【図９】
2007328154.tif 000011